(57)【要約】      （修正有） 【課題】袋の底部から商品を収容し、上部閉塞部を開放して取り出す包装用袋を提供する。【解決手段】内方に折り込んだマチ部１ａ，１ａが両側部に形成されており、上縁開口用部分には予め閉塞部Ａが形成されており、商品の詰め込みは底部開口部分から行われるように構成した熱溶着可能とする材料で製した包装用袋主体１に対し、当該包装用袋主体１の正面部1ｂ及び背面部１ｃとマチ部１ａ，１ａが隣接する下端四隅部分に、スポット溶着に基づく安定用たる固化部分Ｓを形成する。【選択図】図１
0003144544.tif 000002
【実用新案登録請求の範囲】
【請求項１】
内方に折り込んだマチ部(1ａ，1ａ)が両側部に形成されており、上縁開口用部分には予め閉塞部Ａが形成されており、商品の詰め込みは底部開口部分(Ｂ)から行われるように構成した熱溶着可能とする材料で製した包装用袋主体(１)に対し、当該包装用袋主体(１)の正面部(1ｂ)及び背面部(1ｃ)とマチ部(1ａ，1ａ)が隣接する下端四隅部分に、スポット溶着に基づく安定用たる固化部分(Ｓ)を形成したことを特徴とする包装用袋。
【請求項２】
固化部分(Ｓ)の形成を、正面部(1ｂ)及び背面部(1ｃ)とマチ部(1ａ，1ａ)との折曲げ部分をやや開いた状態で安定させるように固化することにより、使用時おいて底部開口部分(Ｂ)が自然にやや開かれるように構成した請求項１に記載の包装袋。
【請求項３】
内方に折り込んだマチ部(10ａ，10ａ)が両側部に形成されており、そして、上縁開口用部分には閉塞部(Ａ)が形成されており、商品の詰め込みは底部開口部分(Ｂ)から行われるように構成した熱溶着可能とする材料で製した包装用袋主体(10)に対して、上端部は当該包装用袋主体(10)の閉塞部(Ａ)と一括して溶着固定されかつ当該包装用袋主体(10)の縦方向の長さと等しい長さを具えた熱溶着可能とする合成樹脂製シート材で形成した補強兼表示用シート(12)を、当該包装用袋主体(10)の表裏またその何れか一方に位置させると共に、当該包装用袋主体(10)の正面部(10ｂ)及び背面部(10ｃ)とマチ部(10ａ，10ａ) が隣接する下端四隅部分に、スポット溶着に基づく安定用たる固化部分(Ｓ)を形成したことを特徴とする包装用袋。
【請求項４】
内方に折り込んだマチ部(10ａ，10ａ)が両側部に形成されており、そして、上縁開口用部分には閉塞部(Ａ)が形成されており、商品の詰め込みは底部開口部分(Ｂ)から行われるように構成した熱溶着可能とする材料で製した包装用袋主体(10)に対して、
上端部は当該包装用袋主体(10)の閉塞部(Ａ)と一括して溶着固定されかつ当該包装用袋主体(10)の縦方向の長さと等しい長さを具えた熱溶着可能とする合成樹脂製シート材で形成した補強兼表示用シート(12)を、当該包装用袋主体(10)の表裏またその何れか一方に位置させると共に、
当該補強兼表示用シート(12)の表面には当該包装用袋主体(10)内に収容する商品に関する各種表示の印刷を施し、
上記のような構成を具えた包装用袋主体(10) の正面部（10ｂ）及び背面部（10ｃ）とマチ部（10ａ，10ａ）が隣接する下端四隅部分に、スポット溶着に基づく安定用たる固化部分(Ｓ)を形成したことを特徴とする包装用袋。
【請求項５】
固化部分(Ｓ)の形成を、正面部(10ｂ)及び背面部(10ｃ)とマチ部(10ａ，10ａ)との折曲げ部分をやや開いた状態で安定させるように固化することにより、使用時おいて底部開口部分(Ｂ)が自然にやや開かれるように構成した請求項３又は請求項４の何れかに記載の包装用袋。
【請求項６】
補強兼表示用シート(12)の下端を包装用袋主体(10)側に擬似接着しておくための仮止めしておくための点状溶接部(Ｐ)を設けるように構成した請求項３乃至請求項５の何れかに記載の包装用袋。
【請求項７】
包装用袋主体として、延伸したフイルムから製造した割繊網状体を縦・横方向に配列した特殊不織布である「ワリフ（登録商標）」の表面に合成樹脂製フイルムを重合溶着してなる材料で製したことを特徴とする請求項１乃至請求項６の何れかに記載の包装用袋。
【考案の詳細な説明】
【技術分野】
【０００１】
本考案は、食品その他の小物商品を収容するための包装用袋に関する。
【背景技術】
【０００２】
従来、食品その他の小物商品を収容するための包装用袋として、開口部側を予め封緘しておき、開口されている底部側から商品を収容した後にこれを封緘するような形式の包装用袋が使用されている。（例えば、特許文献１参照。）。
【０００３】
【特許文献１】実用新案登録第３１３９９９４号
【考案の開示】
【考案が解決しようとする課題】
【０００４】
上記した特許文献１は本願と同一出願人にして同一考案者に係るものであり、これは包装用袋として主として網材を用いるものであるため、扁平状態にある袋に対して、その底部を拡開して商品を収容するに際して、当該拡開の不安定性から商品収容作業がスムーズに行われないというような問題が伴った。  すなわち、底部から商品を収容しようとする際に、扁平状態にある底部を開かなければならないも、当該底部は扁平状態に密着しているために、その拡開作業に手間取り、作業の円滑性、迅速性を阻害すると言うような問題が生じることを余儀なくされた。
【０００５】
本考案は、上述したような従来の包装用袋における問題点の解消化を図ったものである。
【課題を解決するための手段】
【０００６】
本考案は請求項1に記載のように、内方に折り込んだマチ部1ａ，1ａが両側部に形成されており、上縁開口用部分には予め閉塞部Ａが形成されており、商品の詰め込みは底部開口部分Ｂから行われるように構成した熱溶着可能とする材料で製した包装用袋主体１に対し、当該包装用袋主体１の正面部1ｂ及び背面部1ｃとマチ部1ａ，1ａが隣接する下端四隅部分に、スポット溶着に基づく安定用たる固化部分Ｓを形成したことを特徴とする包装用袋に関する。
【０００７】
本考案は請求項２に記載のように、固化部分Ｓの形成を、正面部1ｂ及び背面部1ｃとマチ部1ａ，1ａとの折曲げ部分をやや開いた状態で安定させるように固化することにより、使用時おいて底部開口部分Ｂが自然にやや開かれるように構成した請求項１に記載の包装袋を実施の態様とする。
【０００８】
本考案は請求項３に記載のように、内方に折り込んだマチ部10ａ，10ａが両側部に形成されており、そして、上縁開口用部分には閉塞部Ａが形成されており、商品の詰め込みは底部開口部分Ｂから行われるように構成した熱溶着可能とする材料で製した包装用袋主体10に対して、上端部は当該包装用袋主体10の閉塞部Ａと一括して溶着固定されかつ当該包装用袋主体10の縦方向の長さと等しい長さを具えた熱溶着可能とする合成樹脂製シート材で形成した補強兼表示用シート12を、当該包装用袋主体10の表裏またその何れか一方に位置させると共に、当該包装用袋主体10の正面部10ｂ及び背面部10ｃとマチ部10ａ，10ａ が隣接する下端四隅部分に、スポット溶着に基づく安定用たる固化部分Ｓを形成したことを特徴とする包装用袋に関する。
【０００９】
本考案は、請求項４に記載のように、内方に折り込んだマチ部10ａ，10ａが両側部に形成されており、そして、上縁開口用部分には閉塞部Ａが形成されており、商品の詰め込みは底部開口部分Ｂから行われるように構成した熱溶着可能とする材料で製した包装用袋主体10に対して、上端部は当該包装用袋主体10の閉塞部Ａと一括して溶着固定されかつ当該包装用袋主体10の縦方向の長さと等しい長さを具えた熱溶着可能とする合成樹脂製シート材で形成した補強兼表示用シート12を、当該包装用袋主体10の表裏またその何れか一方に位置させると共に、当該補強兼表示用シート12の表面には当該包装用袋主体10内に収容する商品に関する各種表示の印刷を施し、上記のような構成を具えた包装用袋主体10 の正面部10ｂ及び背面部10ｃとマチ部10ａ，10ａが隣接する下端四隅部分に、スポット溶着に基づく安定用たる固化部分Ｓを形成したことを特徴とする包装用袋に関する。
【００１０】
本考案は請求項５に記載のように、固化部分Ｓの形成を、正面部10ｂ及び背面部10ｃとマチ部10ａ，10ａとの折曲げ部分をやや開いた状態で安定させるように固化することにより、使用時おいて底部開口部分Ｂが自然にやや開かれるように構成した請求項３又は請求項４の何れかに記載の包装用袋を実施の態様とする。
【００１１】
本考案は請求項６に記載のように、補強兼表示用シート12の下端を包装用袋主体10側に仮止めしておくための点状溶接部Ｐを設けるように構成した請求項３乃至請求項５の何れかに記載の包装用袋を実施の態様とする。
【００１２】
本考案は請求項７に記載のように、包装用袋主体として、延伸したフイルムから製造した割繊網状体を縦・横方向に配列した特殊不織布である「ワリフ（登録商標）」の表面に合成樹脂製フイルムを重合溶着してなる材料で製したことを特徴とする請求項１乃至請求項６の何れかに記載の包装用袋を実施の態様とする。
【考案の効果】
【００１３】
本考案に係る包装用袋は、請求項１に記載のような構成、すなわち、内方に折り込んだマチ部1ａ，1ａが両側部に形成されており、上縁開口用部分には予め閉塞部Ａが形成されており、商品の詰め込みは底部開口部分Ｂから行われるように構成した熱溶着可能とする材料で製した包装用袋主体１に対し、当該包装用袋主体１の正面部1ｂ及び背面部1ｃとマチ部1ａ，1ａが隣接する下端四隅部分に、スポット溶着に基づく安定用たる固化部分Ｓを形成するように構成したから、底部開口部分Ｂはこれが扁平状態においても当該固化部分Ｓの存在に基づきある程度の隙間が生じた状態を保つことができる。  従って、底部開口部分Ｂからの商品の詰め込み作業の容易化及び迅速化が図られることとなる。
【００１４】
本考案に係る包装用袋は、請求項２に記載のような構成、すなわち、固化部分Ｓの形成を、正面部1ｂ及び背面部1ｃとマチ部1ａ，1ａとの折曲げ部分をやや開いた状態で安定させるように固化することにより、使用時おいて底部開口部分Ｂが自然にやや開かれるように構成することにより、包装用袋の利用時、その底部開口部分Ｂの扁平状態での密着化が弾力的復元力で解消されてやや開かれた状態に自然に戻ることとなる。  従って、底部開口部分Ｂからの商品の詰め込み作業がより一層の容易化及び迅速化が図られることとなる。
【００１５】
本考案に係る包装用袋は、請求項３に記載のような構成、すなわち、内方に折り込んだマチ部10ａ，10ａが両側部に形成されており、そして、上縁開口用部分には閉塞部Ａが形成されており、商品の詰め込みは底部開口部分Ｂから行われるように構成した熱溶着可能とする材料で製した包装用袋主体10に対して、上端部は当該包装用袋主体10の閉塞部Ａと一括して溶着固定されかつ当該包装用袋主体10の縦方向の長さと等しい長さを具えた熱溶着可能とする合成樹脂製シート材で形成した補強兼表示用シート12を、当該包装用袋主体10の表裏またその何れか一方に位置させると共に、当該包装用袋主体10の正面部10ｂ及び背面部10ｃとマチ部10ａ，10ａ が隣接する下端四隅部分に、スポット溶着に基づく安定用たる固化部分Ｓを形成するように構成したから、当該補強兼表示用シート12の存在に基づき良好なる商品表示、並びに、包装用袋主体10に対する良好なる補強目的が達成されるようにした包装用袋に対して、既述したような請求項１の構成に基づく作用効果、すなわち、底部開口部分Ｂからの商品の詰め込み作業の容易化及び迅速化が図られると言うような機能を付与することが出来る。
【００１６】
本考案に係る包装用袋は、請求項4に記載のような構成、すなわち、内方に折り込んだマチ部10ａ，10ａが両側部に形成されており、そして、上縁開口用部分には閉塞部Ａが形成されており、商品の詰め込みは底部開口部分Ｂから行われるように構成した熱溶着可能とする材料で製した包装用袋主体10に対して、上端部は当該包装用袋主体10の閉塞部Ａと一括して溶着固定されかつ当該包装用袋主体10の縦方向の長さと等しい長さを具えた熱溶着可能とする合成樹脂製シート材で形成した補強兼表示用シート12を、当該包装用袋主体10の表裏またその何れか一方に位置させると共に、当該補強兼表示用シート12の表面には当該包装用袋主体10内に収容する商品に関する各種表示の印刷を施し、上記のような構成を具えた包装用袋主体10 の正面部10ｂ及び背面部10ｃとマチ部10ａ，10ａが隣接する下端四隅部分に、スポット溶着に基づく安定用たる固化部分Ｓを形成するように構成したから、当該補強兼表示用シート12の存在に基づき良好なる商品表示、並びに、包装用袋主体10に対する良好なる補強目的が達成されるようにした包装用袋に対して、既述したような請求項１の構成に基づく作用効果、すなわち、底部開口部分Ｂからの商品の詰め込み作業の容易化及び迅速化が図られると言うような機能を付与することが出来る。
【００１７】
本考案に係る包装用袋は、請求項５に記載のような構成、すなわち、固化部分Ｓの形成を、正面部10ｂ及び背面部10ｃとマチ部10ａ，10ａとの折曲げ部分をやや開いた状態で安定させるように固化することにより、使用時おいて底部開口部分Ｂが自然にやや開かれるように構成することにより、請求項３又は請求項４に記載の包装用袋において、その底部開口部分Ｂが扁平状態での密着化が弾力的復元力で解消されてやや開かれた状態に自然に戻るというような機能を付与することとなる。  従って、底部開口部分Ｂからの商品の詰め込み作業のより一層の容易化及び迅速化が図られることとなる。
【００１８】
本考案に係る包装用袋は、請求項６に記載のような構成、すなわち、補強兼表示用シート12の下端を包装用袋主体10側に仮止めしておくための溶接部Ｐを設けるように構成することにより、請求項３乃至請求項５の何れかに記載の包装用袋に対して、補強兼表示用シート12の安定化が図られ、これが揺れ動くことによる保管上及び商品の詰め込み作業上の齟齬をきたすことがなく、また、この仮止め的な点状溶接部Ｐの形成は包装用袋の表面的な仮止めに止まるため、換言すると表裏一括的な仮止めではないため、請求項１及び請求項２で記載したような機能的作用（扁平状態からの自然的復元）を阻害することがない。
【００１９】
本考案に係る包装用袋は、請求項７に記載のような構成、すなわち、包装用袋主体として、延伸したフイルムから製造した割繊網状体を縦・横方向に配列した特殊不織布である「ワリフ（登録商標）」の表面に合成樹脂製フイルムを重合溶着してなる材料で製するように構成することにより、包装用袋として柔軟性を損なうことなく強靭性を具えたものとされる。
【考案を実施するための最良の形態】
【００２０】
図１及び図２は本考案に係る包装用袋の基本的実施例を表したものである。  同図に於いて、１は包装用袋主体であって、熱溶着可能とする合成樹脂材料で形成したものである。  そして、当該包装用袋主体１は、両側部に内方に折り込んだマチ部1ａ，1ａを形成することにより、商品収容時に当該マチ部1ａ，1ａが拡がり、商品収容力の増大が図られるような構造を有するものである。  従って、当該折込み用マチ部1ａ，1ａの深さは商品収容量に応じて適宜設定されるものである。  なお、包装用袋主体１の形態は、通常のフィルム状シート材で形成したもの、或いは網目材で形成したもの等、その形態は問わないが、熱溶着可能とする合成樹脂材料と言うような材質的な制限性は存在する。
【００２１】
更に、当該包装用袋主体１は、その上縁開口用部分には熱溶着に基づく閉塞部Ａが予め形成されており、購入者が切離する等に基づき開けるようになっている。  そして、商品の詰め込みは底部開口部分Ｂから行われ、当該詰め込み作業後に当該開口部分Ｂを熱溶着等に基づき閉塞して袋詰め商品としての完成化を図るものである。  従って、当該包装用袋主体１は、商品詰め込み前の状態はマチ部1ａ，1ａを密着させた扁平化状態で取扱われるものである。  
【００２２】
なお、包装用袋主体１内に対する所定商品の詰め込み後の底部開口部分Ｂの閉鎖手段は、上記のように熱溶着に依存する以外、ステイプラー（商標：ホッチキス）により閉塞する手段、或いは、紐により一括して束ねた結束形態に閉塞する手段等があるが、その手段は特に限定されるものではない。
【００２３】
本考案は上述したような形態の包装用袋を対象とし、保管時の扁平化状態から商品詰め込みを行うに際して、下端の開口部分が、その密着性が自然に解消されてやや拡開し、これにより商品の詰め込み作業が容易かつ迅速に行われるように構成したことを特徴とするものである。
【００２４】
すなわち本考案は、包装用袋主体１の下端縁における四隅部分に対してスポット的溶着を施すように構成したものである。  換言すると、本考案は、当該包装用袋主体１の正面部1ｂ及び背面部1ｃとマチ部1ａ，1ａが隣接する下端四隅部分に、スポット溶着に基づく安定用たる固化部分Ｓを形成したことを特徴とするものである。
【００２５】
ところで、当該スポット的溶着は、正面部1ｂ及び背面部1ｃとマチ部1ａ，1ａの連設部分（折曲げ部分）がやや開いた状態で安定させるような形態で固化部分Ｓを形成することが好ましい（図２参照）。  すなわち、固化部分Ｓを単に形成するだけで、包装用袋主体１の下縁はその四隅が強化され、他の部分との柔軟性の相違から、その拡開作業は極めて容易化されると同時に、常時隙間が生じて完全扁平化が阻止されるために、拡開作業の至便化が図られる。
【００２６】
然し乍、上記のように固化部分Ｓの形成を、正面部1ｂ及び背面部1ｃに対しするマチ部1ａ，1ａの連設部分がやや開いた状態で安定させるような形態で固化することにより、使用時おいて、保管時の扁平状態から合成樹脂が固有する弾力性に基づき自然に底部開口部分Ｂが開くこととなるため、商品の詰め込み作業のより一層の容易化及び迅速化が図られることとなる。
【００２７】
図３乃至図５は本考案の第２の実施例を表したものであり、これは既述した特許文献１に係る形態の包装用袋を対象とするものである。
【００２８】
同図に於いて10は包装用袋主体であって、図１及び図２に示す実施例の場合と全く同様の形態を具えたもの、すなわち、熱溶着可能とする合成樹脂材料で形成されており、両側部には内方に折り込んだマチ部10ａ，10ａが形成されており、そして、上縁開口用部分には閉塞部Ａが予め形成されており、商品の詰め込みは底部開口部分Ｂから行われるように構成したものである。
【００２９】
12は熱溶着可能とする合成樹脂製シート材で形成した補強兼表示用シートであって、包装用袋主体10の縦方向の長さと等しい長さを具えたものであり、当該包装用袋主体10の表裏両面に取付けられるものである。  そして、その取付け形態であるが、補強兼表示用シート12の上縁寄り部分を熱溶着に基づく閉塞部Ｍの形成時に一括して溶着するように構成してある。
【００３０】
なお、上記した補強兼表示用シート12であるが、これは図示のように表裏両面に取付ける以外、表面または裏面の何れか一方に取付けるように構成することもできる。  この場合、補強力及び表示力は表裏両面に設ける場合に比して半減されるが、包装用袋主体10が網材または透明シート材で形成したものである場合、収容商品の透視性・確認性という点では優れたものとされる。
【００３１】
上記した状態においては、包装用袋主体10の下縁側開口部は開放状態を保っていると共に、補強兼表示用シート12下端縁はフリーな状態としておくか、或いは図３に示すように仮止めしておくための点状溶着部Ｐを設けておくことにより、そのバタツキを防止するように構成しても良い。
【００３２】
そして、当該包装用袋主体10の下端縁に対する補強兼表示用シート12の下端縁の完全固定化は、包装用袋主体１内に対する所定商品の収容後において、当該部分を閉塞に基づき行われるが、その閉塞する手段としては、当該部分を熱溶着に基づき閉塞する手段、または、ステイプラー（商標：ホッチキス）により閉塞する手段、或いは、紐により一括して束ねた結束形態に閉塞する手段等があり、本考案における底部開口部Ｂの閉塞は、このような手段の何れかに基づきその閉塞を成すものであり、手段の限定性は存在しない。
【００３３】
そして、上記した底部開口部Ｂの閉塞状態に於いては、補強兼表示用シート12の下端縁は、包装用袋主体10の下端縁に対して確固たる固定状態に保たれ、これにより、当該包装用袋主体10の縦方向の伸びは、当該補強兼表示用シート12の存在による伸縮性の防止、及び縦方向の補強目的が達成されるように構成されている。
【００３４】
また、前記した補強兼表示用シート12であるが、これの表面には、包装用袋主体10内に収容する商品に対する必要関連事項、例えば登録商標表示、製造・販売業者名表示、バーコード表示、原材料マーク表示、原産地表示等の各種表示を予め印刷しておくものとする。  そして、当該補強兼表示用シート12に対するこのような表示は、表面側と裏面側とを同一表示とするような限定性は無く、表面側には商品の表面用としての表示を、また、裏面側には商品の裏面用としての表示を施すことを原則とするが、これは絶対的なものではなく、表裏同一表示を施しておく場合もある。
【００３５】
ところで、図面に示す実施例においては、包装用袋主体10の横幅を、補強兼表示用シート12の横幅より大きくしてあるのは、商品の収容量を多くするためであり、従って、当該各横幅を等しくするように構成しても良い。  すなわち、前述したように、当該補強兼表示用シート12は包装用袋主体10の縦方向の伸縮を阻止して補強的効果を奏させるものであり、その横方向の伸縮に対しては全くフリーな状態を保っている。
【００３６】
本考案は上述したように図３乃至図５に示すような包装用袋10に対して、図１乃至図３に示す実施例の場合と同様に、包装用袋主体10の下端縁における四隅部分に対してスポット的溶着を施すことによって、これにより、包装用袋主体10の正面部10ｂ及び背面部10ｃとマチ部10ａ，10ａが隣接する下端四隅部分に、スポット溶着に基づく安定用たる固化部分Ｓを形成しておくことを特徴とするものである。
【００３７】
そして、当該スポット的溶着は、正面部10ｂ及び背面部10ｃに対しするマチ部10ａ，10ａの連設部分がやや開いた状態で安定させるような形態の固化部分Ｓを形成することが好ましいことは、既述した図１乃至図３に示す実施例の場合と全く同様である。  そして、このような固化部分Ｓの形成に基づく作用効果も、既述した図１乃至図３に示す実施例の場合と全く同様である。  
【００３８】
図６は図３乃至図５に示すような形態の包装用袋10に対して商品を詰め込んで完成化した状態を表したものである。  なお、同図に於いて包装用袋10をネット袋としてあるのは、このような形態で実施する場合もあることを明確化したためである。
【００３９】
また本考案は、包装用袋として、図６に示すような単なる網材で形成する以外、延伸したフイルムから製造した割繊網状体を縦・横方向に配列した特殊不織布である「ワリフ（登録商標）」の表面に合成樹脂製フイルムを重合溶着してなる材料を用いて形成する場合もある。  ところで、当該「ワリフ（登録商標）」とは、新日石プラスト社が商標を所有する商品であり、延伸したフイルムから製造した割繊網状体を縦・横方向に配列した特殊不織布で、メッシュ構造で高い通気性と強度を有している。  そして、そのメッシュ構造に基づき「薄くて軽量、通気性が良い」、「縦・横ともに高強度でバランスがよく、腰が強い」、「目ズレがなく定形性に優れている」、他素材との組合せなど加工性に優れている」、「滞水、耐薬品性に優れている」と言うような特性を備えた素材である。  従って、このような「ワリフ」の表面に合成樹脂製フイルムを重合溶着してなる材料で製した包装用袋主体を用いることにより、袋として柔軟性を損なうことなく強靭性を具えたものとされる。
【００４０】
更に、本考案においては、図１及び図２に示すような形態の包装用袋として、又は図３乃至図５に示すような形態の包装用袋として、当業者間で取扱われるものであり、実際の商品販売に際しては、図６に示すように包装用袋主体内に対する商品の収容及び下端側開口部に対する閉塞部を形成した状態で供されるものである。  
【図面の簡単な説明】
【００４１】
【図１】本考案の第１の実施例とする包装用袋の斜視図である。
【図２】同上底面図である。
【図３】本考案の第２の実施例とする包装用袋の正面図である。
【図４】同上側面図である。
【図５】同上底面図である。
【図６】図３乃至図５に示す実施例に係る包装用袋に対する商品を収容した状態を表した斜視図である。
【符号の説明】
【００４２】
１    包装用袋主体
1a    マチ部
1ｂ   正面部
1ｃ   背面部
Ａ    閉塞部
Ｂ    底部開口部分
Ｓ    固化部分
10    包装用袋主体
10a   マチ部
10ｂ  正面部
10ｃ  背面部
12    補強兼表示用シート 
Ｐ    仮止め的点状溶着部
【図１】
0003144544.tif 000003
【図２】
0003144544.tif 000004
【図３】
0003144544.tif 000005
【図４】
0003144544.tif 000006
【図５】
0003144544.tif 000007
【図６】
0003144544.tif 000008